(57)【要約】【課題】偏光子の機能を備えたサングラスを使用している場合でも、見る方向が変化することにより著しく暗くならないようにすることができる調光フィルムを提供する。【解決手段】調光フィルム１０は、直線偏光板１３と液晶セル１４とを積層した調光フィルム１０の場合、直線偏光板１３の液晶セル１４とは反対側に、光の偏光を緩和する偏光緩和層２０が設けられ、二色性色素を有する液晶セル５４を有した調光フィルム５０の場合、液晶セル５４の少なくとも一方の面側に、光の偏光を緩和する偏光緩和層２０が設けられていることを特徴とする。【選択図】図１
2019070779.tif 000002
【特許請求の範囲】
【請求項１】
直線偏光板と液晶セルとを積層した調光フィルムにおいて、
前記直線偏光板の前記液晶セルとは反対側に、光の偏光を緩和する偏光緩和層が設けられた
調光フィルム。
【請求項２】
二色性色素を有する液晶セルを有した調光フィルムにおいて、
前記液晶セルの少なくとも一方の面側に、光の偏光を緩和する偏光緩和層が設けられた
調光フィルム。
【請求項３】
前記偏光緩和層が、
１／４波長位相差層である
請求項１又は請求項２に記載の調光フィルム。
【請求項４】
前記偏光緩和層が、
面内位相差が６０００ｎｍ以上の透明フィルム材である
請求項１又は請求項２に記載の調光フィルム。
【請求項５】
透明部材と、
前記透明部材に配置される請求項１から請求項４までのいずれか１項に記載の調光フィルムと、
を備える調光部材。
【請求項６】
請求項１から請求項４までのいずれか１項に記載の調光フィルムが、外光が入射する部位に配置された車両。
【発明の詳細な説明】
【技術分野】
【０００１】
本発明は、例えば窓に貼り付けて外来光の透過を制御する電子ブラインド等に利用可能な調光フィルムに関する。
【背景技術】
【０００２】
従来、例えば窓に貼り付けて外来光の透過を制御する調光体に関する工夫が種々に提案されている（特許文献１、２）。このような調光体の１つに、液晶を利用したものがある。この液晶を利用した調光体は、透明電極、配向層を作製した透明フィルム材により液晶材料を挟持して液晶セルが作製され、この液晶セルを直線偏光板により挟持して作成される。これによりこの液晶を使用した調光体では、液晶に印加する電界の変化により液晶の配向を変化させて外来光を遮光したり透過したりし、さらには透過光量を変化させたりし、これらにより外来光の透過を制御する。
【０００３】
調光体では、液晶層を直線偏光板により挟持して構成されることにより、透過光は直線偏光となる。これにより例えば偏光子の機能を備えたサングラスを着用した人が、調光体の機能を有する窓を介して、室内から室外を観察した場合に、著しく暗く見える問題があった。
【先行技術文献】
【特許文献】
【０００４】
【特許文献１】特開平０３−４７３９２号公報
【特許文献２】特開平０８−１８４２７３号公報
【発明の概要】
【発明が解決しようとする課題】
【０００５】
本発明はこのような状況に鑑みてなされたものであり、偏光子の機能を備えたサングラスを使用している場合でも、見る方向が変化して著しく暗くならないようにすることを目的とする。
【課題を解決するための手段】
【０００６】
本発明者は、上記課題を解決するために鋭意研究を重ね、偏光を緩和する偏光緩和層を配置する、との着想に至り、本発明を完成するに至った。
【０００７】
具体的には、本発明では、以下のようなものを提供する。
【０００８】
（１）  直線偏光板と液晶セルとを積層した調光フィルムにおいて、前記直線偏光板の前記液晶セルとは反対側に、光の偏光を緩和する偏光緩和層が設けられた調光フィルム。
【０００９】
（１）によれば、偏光緩和層により直線偏光板を通過した光の偏光を緩和することにより、偏光子の機能を備えたサングラスを使用している場合でも、見る方向が変化して著しく暗くならないようにすることができる。
【００１０】
（２）  二色性色素を有する液晶セルを有した調光フィルムにおいて、
前記液晶セルの少なくとも一方の面に、光の偏光を緩和する偏光緩和層が設けられた調光フィルム。
【００１１】
（２）によれば、二色性色素を有する液晶セルを透過した光の偏光を偏光緩和層により緩和することにより、偏光子の機能を備えたサングラスを使用している場合でも、見る方向が変化して著しく暗くならないようにすることができる。
【００１２】
（３）  （１）又は（２）において、
前記偏光緩和層が、
１／４波長位相差層である調光フィルム。
【００１３】
（４）  （１）又は（２）において、
前記偏光緩和層が、
面内位相差が６０００ｎｍ以上の透明フィルム材である調光フィルム。
【００１４】
（３）又は（４）によれば、より具体的構成により、偏光子の機能を備えたサングラスを使用している場合でも、見る方向が変化して著しく暗くならないようにすることができる。
【００１５】
（５）  透明部材と、
前記透明部材に配置される（１）から（４）までのいずれかの調光フィルムと、
を備える調光部材。
【００１６】
（５）によれば、調光フィルム１が配置された調光部材を、建築物の窓や、ショーケース、パーテーション、車両の窓等に用いることができ、建築物等の内側への入射する光の光量を制御することができる。
【００１７】
（６）  （１）から（４）までのいずれかの調光フィルムが、外光が入射する部位に配置された車両。
【００１８】
（６）によれば、車両の内側への入射する光の光量を制御することができる。
【発明の効果】
【００１９】
本発明によれば、偏光子を備えたサングラスを使用している場合でも、見る方向により著しく暗くならないようにすることができる。
【図面の簡単な説明】
【００２０】
【図１】第１実施形態に係る調光フィルムを示す断面図である。
【図２】第２実施形態に係る調光フィルムを示す断面図である。
【図３】第３実施形態に係る調光フィルムを示す断面図である。
【発明を実施するための形態】
【００２１】
〔第１実施形態〕
図１は、第１実施形態に係る調光フィルムを示す断面図である。
調光フィルム１０は、印加電圧を変化させることにより透過光の光量を制御することができるフィルムである。調光フィルム１０は透明部材に配置され、調光部材として主に使用される。例えば、調光フィルム１０は、透明樹脂板や、ガラス等の透明部材に粘着剤等により貼付されたり、合わせガラスの中間材とともに、又は中間材の代わりにガラス板（透明部材）間に挟持されたりする調光部材として使用される。
この調光フィルム１０（調光部材）は、例えば、建築物の窓ガラスや、ショーケース、屋内の透明パーテーション、車両のウインドウ等の調光を図る部位（外光が入射する部位、例えば、フロントや、サイド、リア、ルーフ等のウインドウ）に配置され、建築物や車両等の内側への入射光の光量を制御することができる。
【００２２】
この調光フィルム１０は、液晶を利用して透過光を制御するフィルム材あり、印加電圧を変化させることによりＶＡ（Vertical  Alignment）方式により液晶の配向を変化させて透過光を制御する。なお、ＶＡ方式は、液晶の配向を垂直配向と水平配向とで変化させて透過光を制御する方式であり、一般的に、無電界時、液晶を垂直配向させることにより、液晶層を垂直配向層により挟持して液晶セルが構成され、電界の印加により液晶材料を水平配向させるように構成される。
【００２３】
調光フィルム１０は、直線偏光板１２、１３により調光フィルム用の液晶セル１４を挟持して構成される。
ここで、直線偏光板１２、１３は、偏光子を含むものであれば特に限定されるものではなく、偏光子の片側又は両側に偏光板保護フィルムを有するものであってもよい。
偏光子は、例えば、ポリビニルアルコール（ＰＶＡ）のような親水性ポリマーからなるフィルムを二色性色素であるヨウ素を含有する水溶液に浸漬させて延伸することによりポリビニルアルコールとヨウ素との錯体を形成させた偏光子や、ポリ塩化ビニルのようなプラスチックフィルムを処理してポリエンを配向させたものからなる偏光子等を挙げることができる。
また、ヨウ素の代わり二色性色素として二色性染料を用いる場合は、二色性染料として、アゾ系染料、スチルベン系染料、メチン系染料、シアニン系染料、ピラゾロン系染料、トリフェニルメタン系染料、キノリン系染料、オキサジン系染料、チアジン系染料、アントラキノン系染料等が用いられる。
【００２４】
上述の偏光板保護フィルムは、上述の偏光子を保護することができ、且つ、所望の透明性を有するものであれば特に限定されるものではない。偏光板保護フィルムの材料としては、例えば、アセチルセルロース系樹脂、シクロオレフィン系樹脂、ポリエーテルサルホン系樹脂、アモルファスポリオレフィン、変性アクリル系ポリマー、ポリスチレン、エポキシ樹脂、アクリル系樹脂、ポリカーボネート系樹脂、ポリアミド系樹脂、ポリイミド系樹脂、ポリエステル系樹脂等あるいは、アクリル系、ウレタン系、アクリルウレタン系、エポキシ系、シリコーン系等の熱硬化型、又は紫外線硬化型の樹脂等を挙げることができる。中でも、上述の樹脂材料としてアセチルセルロース系樹脂、シクロオレフィン系樹脂、又はアクリル系樹脂を用いることが好ましい。その中でも特に、アセチルセルロース系樹脂であるトリアセチルセルロース（ＴＡＣ）が好適である。
直線偏光板１２、１３は、クロスニコル配置により、アクリル系透明粘着樹脂等による接着剤層により液晶セル１４に配置される。なお、直線偏光板１２、１３には、それぞれ液晶セル１４側に光学補償のための位相差フィルム１２Ａ、１３Ａが設けられるが、位相差フィルム１２Ａ、１３Ａは、必要に応じて省略してもよい。またクロスニコル配置に代えてパラレルニコル配置により配置してもよい。
【００２５】
液晶セル１４は、後述する透明電極への印加電圧により透過光の偏光面を制御する。これにより調光フィルム１０は、透過光を制御して種々に調光を図ることができるように構成される。
【００２６】
〔液晶セル〕
液晶セル１４は、フィルム状の下側積層体１５Ｄ及び上側積層体１５Ｕにより液晶層１８を挟持して構成される。
下側積層体１５Ｄは、第１の基材１６に、第１の透明電極２１、第１の配向層２３、スペーサ２２を積層して形成される。
上側積層体１５Ｕは、透明フィルム材による第２の基材２５に、第２の透明電極２６、第２の配向層２７を積層して形成される。
液晶セル１４は、この下側積層体１５Ｄ及び上側積層体１５Ｕに設けられた透明電極２１、２６の駆動により、ＶＡ方式により液晶層１８に設けられた液晶の配向を制御し、これにより透過光の偏光面を制御する。
【００２７】
基材１６、２５は、種々の透明樹脂フィルムを適用することができるが、光学異方性が小さく、また、可視域の波長（３８０〜８００ｎｍ）における透過率が８０％以上である透明樹脂フィルムを適用することが望ましい。
透明樹脂フィルムの材料としては、例えば、トリアセチルセルロース（ＴＡＣ）等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリプロピレン（ＰＰ）、ポリスチレン、ポリメチルペンテン、ＥＶＡ等のポリオレフィン系樹脂、ポリ塩化ビニル、ポリ塩化ビニリデン等のビニル系樹脂、アクリル系樹脂、ポリウレタン系樹脂、ポリサルホン（ＰＥＦ）、ポリエーテルサルホン（ＰＥＳ）、ポリカーボネート（ＰＣ）、ポリスルホン、ポリエーテル（ＰＥ）、ポリエーテルケトン（ＰＥＫ）、（メタ）アクロニトリル、シクロオレフィンポリマー（ＣＯＰ）、シクロオレフィンコポリマー等の樹脂を挙げることができる。
特に、ポリカーボネート（ＰＣ）、シクロオレフィンポリマー（ＣＯＰ）、ポリエチレンテレフタレート（ＰＥＴ）等の樹脂が好ましい。
本実施形態において、基材１６、２５は、厚み１００μｍのポリカーボネートフィルムが適用されるが、種々の厚みの透明樹脂フィルムを適用することができる。
ＯＰ（シクロオレフィンポリマー）フィルム等を適用してもよい。
【００２８】
透明電極２１、２６は、透明樹脂フィルムに積層される透明導電膜から構成されている。
透明導電膜としては、この種の透明樹脂フィルムに適用される各種の透明電極材料を適用することができ、酸化物系の全光透過率が５０％以上の透明な金属薄膜を挙げることができる。例えば、酸化錫系、酸化インジウム系、酸化亜鉛系が挙げられる。
【００２９】
酸化錫（ＳｎＯ２）系としてはネサ（酸化錫ＳｎＯ２）、ＡＴＯ（Antimony Tin Oxide：アンチモンドープ酸化錫）、フッ素ドープ酸化錫が挙げられる。
酸化インジウム（Ｉｎ２Ｏ３）系としては、酸化インジウム、ＩＴＯ（Indium Tin Oxide：インジウム錫酸化物）、ＩＺＯ（Indium  Zinc  Oxide）が挙げられる。
酸化亜鉛（ＺｎＯ）系としては、酸化亜鉛、ＡＺＯ（アルミドープ酸化亜鉛）、ガリウムドープ酸化亜鉛が挙げられる。
本実施形態では、ＩＴＯ（Indium Tin Oxide）により透明導電膜が形成される。
【００３０】
本実施形態ではスペーサ２２として球形状のビーズスペーサ２２を用いる。ビーズスペーサ２２は、液晶層１８における外周部を除く部分の厚み（セルギャップ）を規定するために設けられる。ビーズスペーサ２２は、シリカ等による無機材料による構成、有機材料による構成、これらを組み合わせたコアシェル構造の構成等を広く適用することができる。また球形状による構成の他、円柱形状、角柱形状等によるロッド形状により構成してもよい。
ただし、スペーサは、液晶層１８の厚みを規定する部材はビーズスペーサ２２に限定されず、例えば、フォトレジストを第１基材２５側に塗工して露光、現像することにより円柱形状に作製してもよい。
なお、上述の説明では、スペーサは、下側積層体１５Ｄに設けられる例を示したが、これに限定されるものでなく、上側積層体１５Ｕ、下側積層体１５Ｄの両方、又は、上側積層体１５Ｕにのみ設けられるようにしてもよい。
【００３１】
配向層２３、２７は、光配向層により形成される。光配向層に適用可能な光配向材料は、光配向の手法を適用可能な各種の材料を広く適用することができ、例えば、光分解型、光二量化型、光異性化型等を挙げることができる。
本実施形態では、光二量化型の材料を使用する。光二量化型の材料としては、例えば、シンナメート、クマリン、ベンジリデンフタルイミジン、ベンジリデンアセトフェノン、ジフェニルアセチレン、スチルバゾール、ウラシル、キノリノン、マレインイミド、又は、シンナミリデン酢酸誘導体を有するポリマー等を挙げることができる。中でも、配向規制力が良好である点で、シンナメート、クマリンの一方又は両方を有するポリマーが好ましく用いられる。このような光二量化型の材料の具体例としては、例えば特開平９−１１８７１７号公報、特表平１０−５０６４２０号公報、特表２００３−５０５５６１号公報及びＷＯ２０１０／１５０７４８号公報に記載された化合物を挙げることができる。
なお、光配向層に代えてラビング処理により配向層を作製してもよく、微細なライン状凹凸形状を賦型処理して配向層を作製してもよい。
【００３２】
液晶層１８は、この種の調光フィルム１０に適用可能な各種の液晶材料を広く適用することができる。具体的に、液晶層１８には、重合性官能基を有していない液晶化合物として、ネマチック液晶化合物、スメクチック液晶化合物及びコレステリック液晶化合物を適用することができる。
ネマチック液晶化合物としては、例えば、ビフェニル系化合物、ターフェニル系化合物、フェニルシクロヘキシル系化合物、ビフェニルシクロヘキシル系化合物、フェニルビシクロヘキシル系化合物、トリフルオロ系化合物、安息香酸フェニル系化合物、シクロヘキシル安息香酸フェニル系化合物、フェニル安息香酸フェニル系化合物、ビシクロヘキシルカルボン酸フェニル系化合物、アゾメチン系化合物、アゾ系化合物、およびアゾオキシ系化合物、スチルベン系化合物、トラン系化合物、エステル系化合物、ビシクロヘキシル系化合物、フェニルピリミジン系化合物、ビフェニルピリミジン系化合物、ピリミジン系化合物、およびビフェニルエチン系化合物等を挙げることができる。
【００３３】
スメクチック液晶化合物としては、例えば、ポリアクリレート系、ポリメタクリレート系、ポリクロロアクリレート系、ポリオキシラン系、ポリシロキサン系、ポリエステル系等の強誘電性高分子液晶化合物を挙げることができる。
コレステリック液晶化合物としては、例えば、コレステリルリノレート、コレステリルオレエート、セルロース、セルロース誘導体、ポリペプチド等を挙げることができる。
【００３４】
液晶セル１４は、液晶層１８を囲むように、シール材２９が配置され、このシール材２９により上側積層体１５Ｕ、下側積層体１５Ｄが一体に保持され、液晶材料の漏出が防止される。ここでシール材２９は、例えばエポキシ樹脂、紫外線硬化性樹脂等を適用することができる。
【００３５】
調光フィルム１０は、上側積層体１５Ｕ及び下側積層体１５Ｄの透明電極２１、２６間の印加電圧Ｖ１により液晶層１８に設けられた液晶の配向を制御し、液晶層１８を透過する透過光の偏光面を変化させ、これにより透過光の光量を変化させる。
しかしながら、後述の偏光緩和層２０を有していない場合、直線偏光板１２又は１３から出射される透過光は、直線偏光により出射されることになる。その結果、例えば偏光子の機能を備えたサングラスを使用したユーザーが、この調光フィルム１０が貼り付けられている窓等を見た場合、充分な光量による外光が透過しているにも関わらず、見る方向により著しく暗く知覚されることになる。
そこで、この実施形態において、調光フィルム１０には、屋内に配置される側（光の出射面側）に偏光緩和層２０が設けられる。より具体的には、窓の屋内側の面に、調光フィルム１０の直線偏光板１２が貼付されている場合において、屋内側となる直線偏光板１３の液晶セル１４とは反対側が、調光フィルム１０の光の出射面側となり、そこに偏光緩和層２０が設けられる。すなわち、屋外側から順に直線偏光板１２、液晶セル１４、直線偏光板１３、偏光緩和層２０となるように、調光フィルム１０が窓に貼付される。
ここで、この説明において、調光フィルム１０の光の出射面とは、調光フィルム１０の屋内側の面（直線偏光板１３の液晶セル１４とは反対側の面）をいい、調光フィルム１０の光の入射側の面とは、調光フィルム１０の屋外側の面（直線偏光板１２の液晶セル１４とは反対側の面）をいう。
これにより、本実施形態の調光フィルム１０は、偏光緩和層２０により出射光の偏光を緩和することができ、偏光子の機能を備えたサングラスを使用している場合でも、見る方向が変化して著しく暗くならないようにすることができる。
例えば、偏光子の機能を備えたサングラスを装着した人が、屋内におり、窓を介して屋外を見ようとした場合に、暗くて見え難くなってしまうのを抑制することができる。
【００３６】
なお、偏光緩和層２０は、屋外側に配置される、すなわち、屋外側から順に偏光緩和層２０、直線偏光板１３、液晶セル１４、直線偏光板１２となるように、調光フィルム１０を窓に貼付するようにしてもよい。これにより、偏光子の機能を備えたサングラスを装着した人が、ショーウインドウ内を見るように、屋外から屋内を見る場合に、屋内（ショーウインドウ内）が暗くなって見え難くなってしまうのを抑制することができる。
【００３７】
〔偏光緩和層〕
ここで偏光緩和層２０は、入射光の偏光を緩和する光学機能層であり、この実施形態では、１／４波長位相差層により構成される。ここで１／４波長位相差層は、透過光に１／４波長の位相差を付与する光学機能層である。１／４波長位相差層は、硬化した液晶材料、光学異方性を備えた透明フィルム材を適用して構成することができる。
【００３８】
ここで、偏光緩和層２０（１／４波長位相差層）は、液晶材料による場合、透明フィルム材に水平配向層を作製した後、この水平配向層の配向規制力により棒状液晶化合物を配向させた状態で硬化して作製される。なおこの場合、これら棒状液晶化合物による液晶層を透明フィルム材と一体に直線偏光板１３に配置してもよい。透明フィルム材による場合、例えば一定の厚みによるＣＯＰフィルム材を適用することができる。
【００３９】
偏光緩和層２０は、偏光緩和層２０が設けられた直線偏光板１３の透過軸方向に対して遅相軸が斜め４５度の角度を成すように配置され、これにより直線偏光板１３の出射光を円偏光により出射し、偏光子の機能を備えたサングラスを使用した場合であっても、見る方向によって著しく暗く知覚されたりすることが無いようにする。なお、偏光緩和層２０は、直線偏光板１３の透過軸方向に対して遅相軸が３０度以上６０度以下の角度を成すように、好ましくは４０度以上５０度以下の角度を成すように配置して、実用上充分に見る方向の変化によって明るさの変化を知覚できないようにすることができ、これにより見る方向によって暗く知覚されないようにすることができる。また、偏光緩和層２０は、面内位相差が波長５５０ｎｍにおいて、２２５ｎｍ以上３２５ｎｍ以下、好ましくは２５０ｎｍ以上３００ｎｍ以下であることが望まれる。
【００４０】
〔第２実施形態〕
図２は、第２実施形態に係る調光フィルムを示す図である。
この調光フィルム３０は、偏光緩和層２０に代えて偏光緩和層４０が適用される点を除いて、第１実施形態の調光フィルム１０と同一に構成される。
【００４１】
ここで偏光緩和層４０は、面内位相差の大きな透明フィルム材により構成される。これにより調光フィルム３０では、ほぼ単一の偏光面による直線偏光により出射される直線偏光板１３からの出射光を、種々の偏光による出射光により出射し、これにより見る方向によって暗く知覚されないようにすることができる。
【００４２】
ここでこのように大きな面内位相差を付与して見る方向によって暗く知覚されないようにする場合、偏光緩和層４０は、６０００ｎｍ以上、好ましくは８０００ｎｍ以上、より好ましくは１００００ｎｍ以上の面内位相差（波長が５５０ｎｍ）を備えることが望ましい。なおこの偏光緩和層４０にあっても、直線偏光板１３の透過軸方向に対して遅相軸が３０度以上６０度以下の角度を成すように、好ましくは４０度以上５０度以下の角度を成すように配置される。
【００４３】
〔第３実施形態〕
図３は、第３実施形態に係る調光フィルムを示す図である。
この調光フィルム５０は、主に、液晶セルがゲストホスト方式により構成されている点と、直線偏光板を備えていない点で、第１実施形態の調光フィルム１０と相違している。
【００４４】
本実施形態の調光フィルム５０は、図３に示すように、ゲストホスト方式による透過光量を変化させる液晶セル５４に、上述の第１実施形態に記載の偏光緩和層２０を配置して構成される。
ここで、ゲストホスト方式とは、ホストであるネマチック液晶中にゲストとして二色性色素を溶解させた液晶組成物を用いる方式である。二色性色素は、１軸の光吸収軸を有し、光吸収軸方向に振動する光のみを吸収することから、電場による液晶の動きに合わせて、二色性色素の配向を変化させ、光吸収軸の向きを制御することにより、液晶セルの透過状態を変化させることができる。なお、本実施形態の液晶セル５４は、液晶中にカイラル剤を含んだカイラルネマティック液晶を用いてもよい。この場合でも、偏光した光が透過するため、透過軸、吸収軸を決めることができる。
【００４５】
液晶セル５４は、二色性色素を使用したゲストホスト方式による液晶セルであり、液晶に印加する電界により透過光量を変化させる液晶セルである。液晶セル５４は、フィルム形状による下側積層体５５Ｄ及び上側積層体５５Ｕにより液晶層５８を挟持して構成される。
下側積層体５５Ｄは、基材５６に、透明電極６１、配向層６３、スペーサ６２を積層して形成される。
上側積層体５５Ｕは、基材６５に、透明電極６６、配向層６７を積層して形成される。
液晶セル５４は、この上側積層体５５Ｕ及び下側積層体５５Ｄに設けられた透明電極６１、６６の駆動により、液晶層５８に設けられたゲストホスト液晶組成物による液晶材料の配向を変化させ、これにより透過光の光量を変化させる。
【００４６】
基材５６、６５は、上述の第１実施形態の基材１６、２５と同様の材料を用いることができる。
透明電極６１、６６は、上述の第１実施形態と同様の構成を用いることができ、本実施形態では、ＩＴＯによる透明電極材により形成される。
スペーサ６２は、液晶層５８の厚みを規定するために設けられ、上述の第１実施形態と同様の構成を用いることができる。本実施形態では、スペーサ６２には、ビーズスペーサが用いられている。
配向層６３、６７は、上述の第１実施形態と同様の構成を用いることができ、本実施形態では、光配向層による垂直配向層により構成されている。
【００４７】
液晶層５８には、ゲストホスト液晶組成物、二色性色素組成物を広く適用することができる。ゲストホスト液晶組成物にはカエラル剤を含有させるようにして、液晶材料を水平配向させた場合に液晶層５８の厚み方向に螺旋形状に配向させるようにしてもよい。
なお、液晶セル５４は、液晶層５８を囲むように、シール材６９が配置され、このシール材６９により上側積層体５５Ｕ、下側積層体５５Ｄが一体に保持され、液晶材料の漏出が防止される。シール材６９は、例えばエポキシ樹脂、アクリル樹脂等の熱硬化性樹脂や紫外線硬化性樹脂等を適用することができる。
【００４８】
ここで、二色性色素が液晶分子と同様にシート面内の所定の方向に配列している場合、液晶層は、特定の偏光を透過し、その他の偏光を吸収する偏光板として機能する。そのため、調光フィルム５０を透過した透過光の少なくとも一部は、二色性色素を有するゲストホスト方式による液晶セル５４において偏光されてしまう。
したがって、偏光緩和層２０を備えていない場合、例えば、偏光子の機能を備えたサングラスを使用したユーザーが、この液晶セル５４が貼り付けられている窓等を見たとき、充分な光量による外光が透過しているにも拘わらず、見る方向により著しく暗く知覚されることになる。
そこで、この実施形態において、調光フィルム５０には、液晶セル５４の屋内に配置される側（光の出射面側）に、上述第１実施形態と同様の偏光緩和層２０が設けられる。より具体的には、窓の屋内側の面に、調光フィルム５０の基材６５側の面が貼付されている場合において、屋内側となる液晶セル５４の基材５６側が、液晶セル５４の光の出射面側となり、そこに偏光緩和層２０が設けられる。ここで、この説明において、液晶セル５４の光の出射面とは、液晶セル５４の屋内側の面（液晶セル５４の基材５６側の面）をいい、液晶セル５４の光の入射側の面とは、液晶セル５４の屋外側の面（液晶セル５４の基材６５側の面）をいう。
また、偏光緩和層２０は、偏光板として機能する液晶セル５４の透過軸方向に対して遅相軸が斜め４５度の角度を成すように配置される。
これにより、本実施形態の調光フィルム５０は、偏光緩和層２０により出射光の偏光を緩和することができ、偏光子の機能を備えたサングラスを使用している場合でも、見る方向が変化して著しく暗くならないようにすることができる。
【００４９】
なお、調光フィルム５０は、偏光緩和層２０の代わりに、上述の第２実施形態に記載の偏光緩和層４０が設けられるようにしてもよい。
【００５０】
〔他の実施形態〕
以上、本発明の実施に好適な具体的な構成を詳述したが、本発明は、本発明の趣旨を逸脱しない範囲で、上述の実施形態を種々に組み合わせたり、さらには変更したりすることができる。
【００５１】
すなわち上述の第１及び第２実施形態では、ＶＡ方式による調光フィルムに本発明を適用する場合について述べたが、本発明はこれに限らず、直線偏光板と液晶セルとを積層した各種構成の調光フィルムに広く適用することができる。具体的には、ＴＮ（Ｔｗｉｓｔｅｄ  Ｎｅｍａｔｉｃ）方式、ＩＰＳ（Ｉｎ  Ｐｌａｎｅ  Ｓｗｉｔｃｈｉｎｇ）方式、ＦＦＳ（Ｆｒｉｎｇｅ  Ｆｉｅｌｄ  Ｓｗｉｔｃｈｉｎｇ）方式等、各種方式による調光フィルムに広く適用することができる。
ここで、ＴＮ方式は、電界の印加により、液晶分子の配向を垂直方向と水平ねじれ方向とで変化させ、光の旋光性を利用して透過光量を制御する方式である。
ＩＰＳ方式は、配向させた液晶分子を基板に対して横（水平）方向に回転させることにより透過光量を制御する方式である。
ＦＦＳ方式は、ＩＰＳ方式と同じく基板に対して液晶分子が横（水平）方向に動くが、ねじれと曲がりを伴うことにより透過光量を制御する方式である。
【００５２】
上述の第１及び第２実施形態において、偏光緩和層２０（４０）は、調光フィルム（直線偏光板１３）の光の出射面側に設けられる例を示したが、これに限定されるものでない。例えば、偏光緩和層２０（４０）は、調光フィルムの光の入射面側、より具体的には、直線偏光板１２の液晶セル１４とは反対側に設けられるようにしてもよい。これにより、調光フィルムの入射面側が、強化ガラス等の面内位相差を有する透明基材に貼付された場合に、強化ガラスが起因となる位相ムラが視認されてしまうのを偏光緩和層により緩和することができる。
同様に、上述の第３実施形態において、偏光緩和層２０は、調光フィルム５０（液晶セル５４）の光の出射面側（下側積層体５５Ｄ側）に設けられる例を示したが、これに限定されるものでない。例えば、偏光緩和層２０は、液晶セル５４の光の入射面側（基材６５側）に設けられるようにしてもよい。これにより、調光フィルム５０の入射面側が、強化ガラス等の面内位相差を有する透明基材に貼付された場合に、強化ガラスが起因となる位相ムラが視認されてしまうのを偏光緩和層により緩和することができる。
また、偏光緩和層２０（４０）は、各調光フィルム１０、３０、５０の出射面側及び入射面側の両方に設けられるようにしてもよい。
【符号の説明】
【００５３】
１０、３０、５０  調光フィルム
１２、１３  直線偏光板
１２Ａ、１３Ａ  位相差フィルム
１４、５４  液晶セル
１５Ｄ、５５Ｄ  下側積層体
１５Ｕ、５５Ｕ  上側積層体
１６、２５、５６、６５  基材
１８、５８  液晶層
２０、４０  偏光緩和層
２１、２６、６１、６６  透明電極
２２、６２  スペーサ
２３、２７、６３、６７  配向層
【図１】
2019070779.tif 000003
【図２】
2019070779.tif 000004
【図３】
2019070779.tif 000005